(57)【要約】【課題】  非入替対象管から入替対象管へのガス供給の有無を安い監視コストで精度良く監視できるようにする。【解決手段】  既設管Ｂのうちの入替対象管Ｅに替わる新設管Ｃを非入替対象管Ｇに接続した後、入替対象管に接続されている未確認の供給管Ｄ２の有無を確認するために、非入替対象管から入替対象管へのガス供給の有無を監視し、入替対象管へのガス供給が有るときは、未確認の供給管が入替対象管に接続されていると判定し、未確認の供給管を探知して新設管に接続するガス管入替方法であって、非入替対象管から入替対象管へのガス供給の有無を検出可能な検出手段７と、検出手段が前記ガス供給を検出すると、その検出情報を受信端末１に自動送信可能な送信手段１０とを設置して、非入替対象管から入替対象管へのガス供給の有無を監視する。【選択図】        図１
2005265081.tif 000002
【特許請求の範囲】
【請求項１】
既設管のうちの入替対象管に替わる新設管を非入替対象管に接続した後、前記入替対象管に接続されている未確認の供給管の有無を確認するために、前記非入替対象管から前記入替対象管へのガス供給の有無を監視し、前記入替対象管へのガス供給が有るときは、未確認の供給管が前記入替対象管に接続されていると判定し、前記未確認の供給管を探知して前記新設管に接続するガス管入替方法であって、
前記非入替対象管から前記入替対象管へのガス供給の有無を検出可能な検出手段と、前記検出手段が前記ガス供給を検出すると、その検出情報を受信端末に自動送信可能な送信手段とを設置して、前記非入替対象管から前記入替対象管へのガス供給の有無を監視するガス管入替方法。
【請求項２】
前記入替対象管と前記非入替対象管とに亘ってバイパス管を接続した後、前記入替対象管への前記バイパス管によらないガスの流入を遮断して、前記バイパス管を通した前記非入替対象管から前記入替対象管へのガス供給の有無を監視する請求項１記載のガス管入替方法。
【請求項３】
前記送信手段として、前記検出情報を複数の受信端末に一斉自動送信可能に設けてある送信手段を設置する請求項１又は２記載のガス管入替方法。
【発明の詳細な説明】
【技術分野】
【０００１】
本発明は、既設管のうちの入替対象管に替わる新設管を非入替対象管に接続した後、前記入替対象管に接続されている未確認の供給管の有無を確認するために、前記非入替対象管から前記入替対象管へのガス供給の有無を監視し、前記入替対象管へのガス供給が有るときは、未確認の供給管が前記入替対象管に接続されていると判定し、前記未確認の供給管を探知して前記新設管に接続するガス管入替方法に関する。
【背景技術】
【０００２】
例えば、地中に埋設されている都市ガス供給用の既設ガス管（低圧本支管）の一部（入替対象管）を別途埋設した新設管に入れ替える工事においては、その入替対象管に分岐接続されているユーザへの供給管も新設管に接続し直す必要があるので、すべての供給管が接続し直されたかどうかを入替対象管に接続されたままの供給管（未確認の供給管）の有無によっても確認する場合がある。
そこで、新設管を非入替対象管に接続して、すべての供給管を新設管に接続し直した後、入替対象管に接続されている未確認の供給管の有無を確認するために、ガスが通流している活管状態の非入替対象管に連通接続されている入替対象管におけるガス圧力やガス流量などを計測する計測装置を設置して、未確認の供給管を通したガスの使用に伴う計測値の変動の有無により、非入替対象管から入替対象管へのガス供給の有無を監視しているが、従来、監視担当者が計測装置を設置してある計測現場に出向いて、計測値の変動を読み取る形態で監視している。
尚、この様な従来技術は、先行技術調査を行うまでもなく、当業者の間で広く知られているものであり、先行技術文献は示していない。
【発明の開示】
【発明が解決しようとする課題】
【０００３】
しかしながら、供給管を通して供給したガスの使用タイミングはユーザの個別の事情に応じてまちまちであるので、非入替対象管から入替対象管へのガス供給の有無を精度良く監視するためには、監視担当者が計測現場に頻繁に出向いたり、計測現場に常駐する必要があり、監視コストが高くなる欠点がある。
本発明は上記実情に鑑みてなされたものであって、非入替対象管から入替対象管へのガス供給の有無を安い監視コストで精度良く監視できるようにすることを目的とする。
【課題を解決するための手段】
【０００４】
本発明の第１特徴構成は、既設管のうちの入替対象管に替わる新設管を非入替対象管に接続した後、前記入替対象管に接続されている未確認の供給管の有無を確認するために、前記非入替対象管から前記入替対象管へのガス供給の有無を監視し、前記入替対象管へのガス供給が有るときは、未確認の供給管が前記入替対象管に接続されていると判定し、前記未確認の供給管を探知して前記新設管に接続するガス管入替方法であって、前記非入替対象管から前記入替対象管へのガス供給の有無を検出可能な検出手段と、前記検出手段が前記ガス供給を検出すると、その検出情報を受信端末に自動送信可能な送信手段とを設置して、前記非入替対象管から前記入替対象管へのガス供給の有無を監視する点にある。
【０００５】
〔作用及び効果〕
非入替対象管から入替対象管へのガス供給の有無を検出可能な検出手段と、検出手段がガス供給を検出すると、その検出情報を受信端末に自動送信可能な送信手段とを設置して、非入替対象管から入替対象管へのガス供給の有無を監視するので、監視担当者は、計測現場に頻繁に出向いたり常駐することなく、検出手段がガス供給を検出すると、送信手段によって自動送信された検出情報を受信端末で受信して、非入替対象管から入替対象管へのガス供給が有ったことをリアルタイムで確認することができ、非入替対象管から入替対象管へのガス供給の有無を安い監視コストで精度良く監視できる。
また、検出情報を受信端末に無線で自動送信可能な送信手段を設置した場合には、さらに電話線や通信ケーブルなどを受信端末に接続したり、監視終了後に電話線や通信ケーブルなどを撤去したりするような煩雑な作業を伴うことなく、検出情報を受信端末で受信できる。
【０００６】
本発明の第２特徴構成は、前記入替対象管と前記非入替対象管とに亘ってバイパス管を接続した後、前記入替対象管への前記バイパス管によらないガスの流入を遮断して、前記バイパス管を通した前記非入替対象管から前記入替対象管へのガス供給の有無を監視する点にある。
【０００７】
〔作用及び効果〕
入替対象管と非入替対象管とに亘ってバイパス管を接続した後、入替対象管へのバイパス管によらないガスの流入を遮断して、バイパス管を通した非入替対象管から入替対象管へのガス供給の有無を監視するので、ガス圧力やガス流量などを計測する計測装置をバイパス管に予め設置しておいて、そのバイパス管を入替対象管と非入替対象管とに亘って接続することができ、計測装置を設置し易い。
【０００８】
本発明の第３特徴構成は、前記送信手段として、前記検出情報を複数の受信端末に一斉自動送信可能に設けてある送信手段を設置する点にある。
【０００９】
〔作用及び効果〕
複数の受信端末を分散配置しておいて、監視担当者は、いずれかの受信端末で検出情報を受信できるので、非入替対象管から入替対象管へのガス供給が有ったことを見逃すようなことなく監視し易い。
【発明を実施するための最良の形態】
【００１０】
以下に本発明の実施の形態を図面に基づいて説明する。
〔第１実施形態〕
図１は、地中に埋設されている都市ガス供給用の既設ガス管（低圧本支管）Ｂの一部を新設管Ｃに入れ替える本発明によるガス管入替方法を示し、入替対象管Ｅに分岐接続されているユーザへの供給管Ｄ１，Ｄ２の全部を新設管Ｃに接続し直すことができるように、両方向からガスが供給されている既設ガス管Ｂのうちの工事区間Ｆの入替対象管Ｅに替わる新設管Ｃを非入替対象管Ｇに接続した後、入替対象管Ｅに分岐接続されている未確認の供給管Ｄ２の有無を確認するために、非入替対象管Ｇから入替対象管Ｅへのガス供給の有無を監視するガス供給監視システムＡを設けてある。
【００１１】
前記入替対象管Ｅは、既設ガス管Ｂを工事区間Ｆの両端で切断して各切断端部をガスバッグ２などで塞ぐとともに、入替対象管Ｅへのガス供給を継続できるように、その一方の端部と非入替対象管Ｇとに亘ってバイパス管３を接続して、入替対象管Ｅへのバイパス管３によらないガスの流入を遮断してあり、ガス供給監視システムＡは、監視担当者の待機場所を特に制限することなく、非入替対象管Ｇから入替対象管Ｅへのガス供給の有無を監視することができるように、監視担当者が持ち歩くＰＨＳや携帯電話機などの複数の携帯受信端末１（１ａ，１ｂ，１ｃ）と、バイパス管２に設置する可搬式のガス供給監視装置４とを設けて構成してある。
【００１２】
前記ガス供給監視装置４は、バイパス管３を通した非入替対象管Ｇから入替対象管Ｅへのガス供給の有無を検出可能な検出手段としての計測ユニット７と、計測ユニット７がガス供給を検出すると、その検出情報を受信端末１に無線で自動送信可能な送信手段としての送信ユニット１０とを設置して構成してある。
【００１３】
前記計測ユニット７は、バイパス管３の内圧を検出するガス圧力センサ５と、その検出信号を処理する処理装置６とを備え、処理装置６は、ガス圧力センサ５で計測した計測ガス圧力が基準ガス圧力範囲から低圧側に外れると、非入替対象管Ｇから入替対象管Ｅへのガス供給があったと判定して、その検出情報を送信ユニット１０に入力するように構成してある。
【００１４】
前記送信ユニット１０は、計測ユニット７から検出情報が入力されると、その検出情報を予め特定された一つの携帯受信端末１ａに無線で自動送信するようにＰＨＳ送信端末８を制御する制御装置９を備えている。
【００１５】
前記基準ガス圧力範囲は、未確認の供給管Ｄ２が存在しない場合に予測できるガス圧力の変動範囲で、未確認の供給管Ｄ２が存在していて、その供給管Ｄ２を通してガスが使用された場合は、入替対象管Ｅのガス圧力は、その下限ガス圧力よりも低いガス圧力に変化することになる。
【００１６】
そして、工事区間Ｆの一端側で切断予定部位を迂回するバイパス管３を予め入替対象管Ｅに接続して、入替対象管Ｅにおけるガス供給を確保できるようにしてから、工事区間Ｆの両端部で既設ガス管Ｂを切断して、各切断端部をガスバッグ２などで塞いでおき、確認済みの供給管Ｄ１の全部を新設ガス管Ｃに接続し直した後、ガス供給監視装置４でバイパス管３内のガス圧力を計測し、計測ガス圧力が基準ガス圧力範囲の下限ガス圧力を下回って、未確認の供給管Ｄ２を通したガス供給があり、未確認の供給管Ｄ２が入替対象管Ｅに接続されていると判定したときは、その検出情報を電子メール形式でＰＨＳ送信端末８から携帯受信端末１ａに自動送信して、未確認の供給管Ｄ２が存在する旨を監視担当者に報知し、その未確認の供給管Ｄ２を探知して新設管Ｃに接続するようにしてある。
【００１７】
〔第２実施形態〕
第１実施形態において、計測ユニット７から検出情報が入力されると、その検出情報を電子メール形式で指定された複数の携帯受信端末１（１ａ，１ｂ，１ｃ）の各々に無線で一斉自動送信するようにＰＨＳ送信端末８を制御する制御装置９を備えた送信ユニット１０を設けてあっても良い。
【００１８】
〔その他の実施形態〕
１．本発明によるガス管入替方法は、非入替対象管から入替対象管への計測ガス流量が予め設定した基準ガス流量範囲の下限ガス流量を下回る否かにより、ガス供給の有無を検出可能な検出手段を設けて実施しても良い。
２．本発明によるガス管入替方法は、ガス流量を計測する計測手段を設けてある検出手段を設置しても、ガス圧力とガス流量との双方を計測する計測手段を設けてある検出手段を設置しても良い。
３．本発明によるガス管入替方法は、ＰＨＳや携帯方式以外に、ＴＤＭＡ方式やＣＤＭＡ方式の携帯送信端末や携帯受信端末やインターネット接続端末を設けて構成してあっても良い。
４．本発明によるガス管入替方法は、配管網端部などに接続してある片方向からガスが供給される既設ガス管を新設管に入れ替えるために使用しても良い。
５．本発明によるガス管入替方法は、地上に配管されているガス管を新設管に入れ替えるために使用しても良い。
６．本発明によるガス管入替方法は、一端側を塞いである既設ガス管の他端側箇所を切断せずに、その切断予定箇所における非入替対象管から入替対象管へのガス供給の有無を検出可能な検出手段を設置しても良い。
７．本発明によるガス管入替方法は、警報音形式や音声形式の検出情報を受信端末に無線で自動送信可能に設けてあっても良い。
【図面の簡単な説明】
【００１９】
【図１】ガス管入替方法の説明図
【符号の説明】
【００２０】
１    受信端末
３    バイパス管
７    検出手段
１０  送信手段
Ｂ    既設管
Ｃ    新設管
Ｄ２  未確認の供給管
Ｅ    入替対象管
Ｇ    非入替対象管
【図１】
2005265081.tif 000003